(57)【要約】【課題】  新たに投入するジョブの実行前にモードの移行を指定することができ、ユーザが、シート処理を行うために待たなければならない時間を短くすることができる。【解決手段】  印刷手段による画像の印刷を制限した状態で、シート処理装置によってシートにシート処理を実行させるモードに印刷装置を移行させる移行手段と、新たに投入するジョブの実行前に、当該ジョブの印刷が完了した後であって他のジョブの印刷が開始される前に印刷装置を前記モードに移行するよう指定する指定手段と、指定手段によって前記モードに移行するよう指定されている場合に、ジョブの印刷が完了した後であって他のジョブの印刷が開始される前に、印刷装置を前記モードに移行するよう制御する制御手段とを有する。【選択図】  図１２
2014238542.tif 000002
【特許請求の範囲】
【請求項１】
印刷装置であって、
ジョブを実行することによって原稿の画像を読み取り、読み取った画像に基づいてシートに画像を印刷する印刷手段と、
前記印刷手段によって画像が印刷されたシートをシート処理装置に搬送し、前記シート処理装置によって前記シートにシート処理を実行させるシート処理手段と、
前記印刷手段による画像の印刷を制限した状態で、前記シート処理装置によってシートにシート処理を実行させるモードに前記印刷装置を移行させる移行手段と、
新たに投入するジョブの実行前に、当該ジョブの印刷が完了した後であって他のジョブの印刷が開始される前に前記印刷装置を前記モードに移行するよう指定する指定手段と、
前記指定手段によって前記モードに移行するよう指定されている場合に、前記ジョブの印刷が完了した後であって前記他のジョブの印刷が開始される前に、前記印刷装置を前記モードに移行するよう制御する制御手段とを有することを特徴とする印刷装置。
【請求項２】
印刷装置であって、
ジョブを実行することによって原稿の画像を読み取り、読み取った画像に基づいてシートに画像を印刷する印刷手段と、
前記印刷手段によって画像が印刷されたシートをシート処理装置に搬送し、前記シート処理装置によって前記シートに後処理を実行させるシート処理手段と、
前記印刷手段による画像の印刷を制限した状態で、前記シート処理装置によってシートにシート処理を実行させるモードに前記印刷装置を移行させる移行手段と、
新たに投入するジョブの実行前に、当該ジョブの原稿の画像の読み取りが完了した後であって当該ジョブの印刷が開始される前に前記印刷装置を前記モードに移行するよう指定する指定手段と、
前記指定手段によって前記モードに移行するよう指定されている場合に、前記ジョブの原稿の画像の読み取りが完了した後であって当該ジョブの印刷が開始される前に、前記印刷装置を前記モードに移行するよう制御する制御手段とを有することを特徴とする印刷装置。
【請求項３】
前記ジョブの印刷が完了した後であって前記他のジョブの印刷が開始される前に前記印刷装置を前記モードに移行させるか、前記ジョブの原稿の読み取りが完了した後であって当該ジョブの印刷が開始される前に前記印刷装置を前記モードに移行させるかを選択する選択手段をさらに有することを特徴とする請求項１または２に記載の印刷装置。
【請求項４】
前記印刷装置が前記モードに移行した状態で、前記シート処理装置にシートが挿入されたことを検知する検知手段をさらに有し、
前記シート処理手段は、さらに、前記検知手段によって前記シート処理装置に前記シートが挿入されたことが検知されたことに応じて、前記シート処理装置によって当該シートに後処理を実行させることを特徴とする請求項１乃至３のいずれか１項に記載の印刷装置。
【請求項５】
前記シート処理装置によるシート処理の位置を指示する指示手段をさらに有し、
前記シート処理手段は、前記シート処理装置によって当該シートの前記指示手段によって指示された位置にシート処理を実行させることを特徴とする請求項１乃至４のいずれか１項に記載の印刷装置。
【請求項６】
前記印刷装置が前記モードに移行した状態で、前記シート処理装置にシートが挿入されたことを検知する検知手段と、
前記印刷装置が前記モードに移行した状態で、前記シート処理装置によるシート処理の位置を指示する指示手段とをさらに有し、
前記検知手段によってシートが挿入されたことを検知せず、且つ、前記指示手段による前記シート処理の位置の指示もない状態で所定の時間が経過した場合に、前記モードによる印刷の制限を解除することを特徴とする請求項１乃至４のいずれか１項に記載の印刷装置。
【請求項７】
前記指定手段は、前記新たに投入するジョブの設定を受け付けるための設定画面を介してユーザから受け付けた操作に従って、前記印刷装置を前記モードに移行するよう指定することを特徴とする請求項１乃至６のいずれか１項に記載の印刷装置。
【請求項８】
前記シート処理は、ステイプルまたはパンチであることを特徴とする請求項１乃至７のいずれか１項に記載の印刷装置。
【請求項９】
印刷装置の制御方法であって、
ジョブを実行することによって原稿の画像を読み取り、読み取った画像に基づいてシートに画像を印刷装置によって印刷する印刷工程と、
前記印刷装置によって画像が印刷されたシートをシート処理装置に搬送し、前記シート処理装置によって前記シートにシート処理を実行させるシート処理工程と、
前記印刷装置による画像の印刷を制限した状態で、前記シート処理装置によってシートにシート処理を実行させるモードに前記印刷装置を移行させる移行工程と、
新たに投入するジョブの実行前に、当該ジョブの印刷が完了した後であって他のジョブの印刷が開始される前に前記印刷装置を前記モードに移行するよう指定する指定工程と、
前記指定工程で前記モードに移行するよう指定されている場合に、前記ジョブの印刷が完了した後であって前記他のジョブの印刷が開始される前に、前記印刷装置を前記モードに移行するよう制御する制御工程とを有することを特徴とする印刷装置の制御方法。
【請求項１０】
印刷装置の制御方法であって、
ジョブを実行することによって原稿の画像を読み取り、読み取った画像に基づいてシートに画像を印刷装置によって印刷する印刷工程と、
前記印刷装置によって画像が印刷されたシートをシート処理装置に搬送し、前記シート処理装置によって前記シートにシート処理を実行させるシート処理工程と、
前記印刷手段による画像の印刷を制限した状態で、前記シート処理装置によってシートにシート処理を実行させるモードに前記印刷装置を移行させる移行工程と、
新たに投入するジョブの実行前に、当該ジョブの原稿の画像の読み取りが完了した後であって当該ジョブの印刷が開始される前に前記印刷装置を前記モードに移行するよう指定する指定工程と、
前記指定工程によって前記モードに移行するよう指定されている場合に、前記ジョブの原稿の画像の読み取りが完了した後であって当該ジョブの印刷が開始される前に、前記印刷装置を前記モードに移行するよう制御する制御工程とを有することを特徴とする印刷装置の制御方法。
【請求項１１】
請求項９または１０に記載の印刷装置の制御方法を、コンピュータに実行させるためのプログラム。
【発明の詳細な説明】
【技術分野】
【０００１】
本発明は、印刷装置、印刷装置の制御方法、及びプログラムに関するものである。
【背景技術】
【０００２】
従来、後処理装置を有する印刷装置がある。このような印刷装置では、シートに画像を形成し、画像が形成されたシートを後処理装置に搬送し、後処理装置によってシートに後処理を実行する。
【０００３】
また、従来、印刷装置によって画像が印刷されたシートを搬送してステイプルを実行する機能に加えて、印刷装置による印刷を伴わずにユーザによって後処理装置に挿入されたシートに対してステイプルを実行する機能を備える印刷装置も知られている。（特許文献１参照）
【０００４】
このような印刷装置では、印刷装置によって画像が印刷されて搬送されるシートに対するステイプルと、ユーザによって後処理装置に挿入されたシートに対するステイプルとを、同じステイプラを用いて行っている。そこで、挿入されたシートに対するステイプルを実行するために印刷を制限するモードを設け、後処理装置に挿入されたシートが、印刷装置から搬送されるシートとぶつかってジャムにならないようにしている。
【０００５】
また、従来、ジョブの印刷が実行中の場合に、印刷を制限するモードへの移行予約を受け付け、そのジョブの印刷後にモードを移行させる技術がある。（特許文献２参照）
【先行技術文献】
【特許文献】
【０００６】
【特許文献１】特開２００５−１０７３２２号公報
【特許文献２】特開２００８−１４９６８６号公報
【発明の概要】
【発明が解決しようとする課題】
【０００７】
しかしながら、従来の印刷装置は、ジョブの印刷が実行中の場合に、その印刷の後にモードを移行するための予約をすることしかできず、ユーザがこれから新たに投入する自分のジョブに対して予めモードを移行するための予約をすることはできなかった。
【０００８】
例えば、ステイプルされた原稿をコピーする場合、ユーザは、一旦ステイプルの針を外して、原稿束をＡＤＦに置いてコピーの実行を指示することがある。原稿の読み取りが完了した後、読取済みの原稿束を元のようにステイプルし直したい場合、ユーザは、前述のモードの移行を指示するが、その際に印刷装置による印刷が開始されてしまっていると、その印刷が完了するまで待たなければならなかった。
【０００９】
そこで、本発明では、新たに投入するジョブの実行前にモードの移行を指定することができ、ユーザが、シート処理を行うために待たなければならない時間を短くする仕組みを提供することを目的とする。
【課題を解決するための手段】
【００１０】
印刷装置であって、ジョブを実行することによって原稿の画像を読み取り、読み取った画像に基づいてシートに画像を印刷する印刷手段と、前記印刷手段によって画像が印刷されたシートをシート処理装置に搬送し、前記シート処理装置によって前記シートにシート処理を実行させるシート処理手段と、前記印刷手段による画像の印刷を制限した状態で、前記シート処理装置によってシートにシート処理を実行させるモードに前記印刷装置を移行させる移行手段と、新たに投入するジョブの実行前に、当該ジョブの印刷が完了した後であって他のジョブの印刷が開始される前に前記印刷装置を前記モードに移行するよう指定する指定手段と、前記指定手段によって前記モードに移行するよう指定されている場合に、前記ジョブの印刷が完了した後であって前記他のジョブの印刷が開始される前に、前記印刷装置を前記モードに移行するよう制御する制御手段とを有することを特徴とする。
【発明の効果】
【００１１】
本発明によれば、新たに投入するジョブの実行前にモードの移行を指定することができ、ユーザが、シート処理を行うために待たなければならない時間を短くすることができる。
【図面の簡単な説明】
【００１２】
【図１】本発明の実施形態に係る画像形成装置の構成を示すブロック図である。
【図２】本発明の実施形態に係る操作部の構成を示す図である。
【図３】本発明の実施形態に係る画像形成装置の構成を示す断面図である。
【図４】本発明の実施形態に係るフィニッシャの構成を示す外観図である。
【図５】本発明の実施形態に係る画面を説明するための図である。
【図６】本発明の実施形態に係る画面を説明するための図である。
【図７】本発明の実施形態に係る画面を説明するための図である。
【図８】本発明の実施形態に係る処理を示すフローチャートである。
【図９】本発明の実施形態に係る処理を示すフローチャートである。
【図１０】本発明の実施形態に係る処理を示すフローチャートである。
【図１１】本発明の実施形態に係る処理を示すフローチャートである。
【図１２】本発明の実施形態に係る処理を示すフローチャートである。
【図１３】本発明の実施形態に係るプリントキューを説明するための図である。
【図１４】本発明の実施形態に係る処理を示すフローチャートである。
【図１５】本発明の実施形態に係る画面を説明するための図である。
【発明を実施するための形態】
【００１３】
以下、図面を用いて本発明に係る実施形態を説明する。
【００１４】
＜第１の実施形態＞
図１は、本実施形態に係る印刷装置（画像形成装置）の一例であるＭＦＰの構成を示すブロック図である。
【００１５】
本実施形態に係るＭＦＰ（Ｍｕｌｔｉ  Ｆｕｎｃｔｉｏｎ  Ｐｅｒｉｐｈｅｒａｌ）１００は、制御装置１１０、リーダ部２００、プリンタ部３００を有する。リーダ部２００、制御装置１１０、プリンタ部３００は電気的に接続されており、互いに制御コマンドやデータを送受する。また、ＭＦＰ１００には、フィニッシャ５００を接続することができる。
【００１６】
制御装置１１０は、ＣＰＵ１２０、画像メモリ１３０、不揮発性メモリ１４０、ＲＡＭ１５０、ＲＯＭ１６０、操作部１７０、タイマ１８０を有する。
【００１７】
ＣＰＵ１２０は、ＲＯＭ１５０に記憶されたプログラムをＲＡＭ１５０に読み出して実行することによってＭＦＰ１００を統括的に制御する。
【００１８】
画像メモリ１３０は、リーダ装置２００によって読み取られた画像データを記憶する。記憶された画像データは、ＣＰＵ１２０からの指示によってプリンタ装置３００に送られる。
【００１９】
ＲＡＭ１５０は、ＣＰＵ１２０の作業領域として機能し、各種プログラムやデータを記憶する。
【００２０】
ＲＯＭ１６０は、ＣＰＵ１２０によって読みだされ、実行される各種プログラムを記憶しておく。
【００２１】
不揮発性メモリ１４０は、各種プログラムや画像データを記憶する大容量のメモリである。なお、本実施形態では、不揮発性メモリ１４０の例としてＨＤＤを例に説明するが、その他、ブルーレイディスク等、画像データを記憶するために十分な容量のメモリを持つものであればよい。
【００２２】
操作部１７０は、表示部とハードキーとを有する。表示部は、液晶表示部と当該液晶表示部に貼り付けられたタッチパネルシートとで構成され、液晶表示部には操作画面やＭＦＰ１００の状態が表示される。操作部１７０は、当該操作画面またはハードキーを介してユーザの操作を受け付ける。
【００２３】
タイマ１８０は、時間を計測するために用いられる。
【００２４】
ネットワークＩ／Ｆ１９０は、ＭＦＰ１００がＰＣや他のＭＦＰ等の外部装置とネットワークを介して通信を行うための制御を行う。
【００２５】
リーダ部２００は、原稿の画像を読み取り、読み取った画像を示す画像データを生成するスキャナユニット２１０と、スキャナユニット２１０によって読み取られる原稿を搬送するための原稿搬送ユニット２５０を有する。
【００２６】
プリンタ部３００は、給紙カセット３１０に収納された記録紙を１枚ずつ給紙し、マーキングユニット３２０に搬送する。また、プリンタ部３００は、マーキングユニット３２０を制御し、画像データに基づいて、給紙された記録紙に画像を印刷する。そして、プリンタ部３００は、画像が印刷された記録紙を、排紙トレイ３３０に排出する。なお、マーキングユニット３２０は、電子写真方式であっても、インクジェット方式であってもよい。また、画像を印刷することができるものであれば、その他の方法であってもよい。
【００２７】
このＭＦＰ１００は、以下に説明する複数種類のジョブを実行する。
【００２８】
例えば、ＭＦＰ１００は、リーダ部２００によって読み取った原稿の画像を示す画像データを画像メモリ１３０に記憶し、画像メモリ１３０に記憶された画像データに基づいてプリンタ部３００で印刷を行うコピージョブを実行する。
【００２９】
また、ＭＦＰ１００は、ネットワークＩ／Ｆ１９０を介して受信した画像データと印刷設定を画像メモリ１３０に記憶し、画像メモリ１３０に記憶された画像データと印刷設定に基づいて画像をプリンタ部３００で印刷するプリントジョブを実行する。
【００３０】
さらに、ＭＦＰ１００は、リーダ部２００によって読み取った原稿の画像を示す画像データを画像メモリ１３０に記憶し、画像メモリ１３０に記憶された画像データをネットワークＩ／Ｆ１９０を介して外部装置に送信するデータ送信ジョブを実行する。
【００３１】
また、ＭＦＰ１００は、リーダ部２００によって読み取られた原稿の画像を示す画像データを不揮発性メモリ１４０に記憶するスキャン格納ジョブを実行する。
【００３２】
さらに、ＭＦＰ１００は不揮発性メモリ１４０に記憶された画像データに基づく画像を、操作部１７０からの印刷指示によって印刷するボックスプリントジョブを実行する。
【００３３】
フィニッシャ５００は、ＭＦＰ１００によって画像が印刷されたシートを受け取り、当該シートに対してステイプルや中綴じ製本処理を実行する。
【００３４】
図２は、図１に示したＭＦＰ１００が有する操作部１７０を示す図である。
【００３５】
操作部１７０は、ハードキーによるユーザ操作を受付けるキー入力部６０１、ソフトキー（表示キー）を表示可能で、当該ソフトキーによるユーザ操作を受付けるタッチパネル部６０２を有する。
【００３６】
まず、キー入力部６０１について説明する。図２に示すように、キー入力部６０１は、操作部電源スイッチ６０３を備える。ＭＦＰ１００が、スタンバイモード（通常動作状態）のときに、操作部電源スイッチ６０３がユーザによって押されると、ＣＰＵ１２０は、ＭＦＰ１００を、スタンバイモードからスリープモード（消費電力を抑えている状態）に切り替える。一方、ＭＦＰ１００が、スリープモードのときに、操作部電源スイッチ６０３がユーザによって押されると、ＣＰＵ１２０は、ＭＦＰ１００を、スリープモードからスタンバイモードに切り替える。
【００３７】
スタートキー６０５は、コピー動作や、データの送信動作を、ＭＦＰ１００に実行させる指示をユーザから受付けるためのキーである。
【００３８】
ストップキー６０４は、コピー動作や、データの送信動作を中断する指示をユーザから受付けるためのキーである。
【００３９】
テンキー６０６は、各種設定の置数の設定をユーザにより実行するためのキーである。
【００４０】
次に、タッチパネル部６０２について説明する。タッチパネル部６０２は、ＬＣＤ（Ｌｉｑｕｉｄ  Ｃｒｙｓｔａｌ  Ｄｉｓｐｌａｙ：液晶表示部）と、その上に貼られた透明電極からなるタッチパネルシートとを有する。
【００４１】
当該タッチパネル部６０２は、ユーザからの各種設定を受付ける機能と、ユーザに情報を提示する機能とを有する。
【００４２】
図３は、図１で説明したＭＦＰ１００の断面図である。
【００４３】
リーダ部２００における原稿給紙ユニット２５０は、原稿台にセットされた原稿を１枚ずつ給紙し、光学ユニット２１３まで搬送する。光学ユニット２１３まで搬送された原稿は排出トレイ２１９に排紙される。
【００４４】
原稿が光学ユニット２１３の上まで搬送されると、リーダ部２００は、ランプ２１２を点灯し、光学ユニット２１３によって原稿に光を当てる。この時、原稿からの反射光は、ミラー２１４、２１５、２１６及びレンズ２１７によってＣＣＤイメージセンサー（以下ＣＣＤという）２１８へ導かれる。そして、原稿の画像はＣＣＤ２１８によって読み取られる。ＣＣＤ２１８から出力される画像データは、所定の処理が施された後、制御装置１１０へ転送される。
【００４５】
また、リーダ部２００は、原稿給紙ユニット２５０とプラテンガラス２１１の間に置かれた原稿の画像を読み取る。その場合、リーダ部２００は、ランプ２１２を点灯し、光学ユニット２１３を移動させる。この時の原稿からの反射光は、ミラー２１４、２１５、２１６及びレンズ２１７によってＣＣＤイメージセンサー（以下ＣＣＤという）２１８へ導かれる。そして、原稿の画像はＣＣＤ２１８によって読み取られる。ＣＣＤ２１８から出力される画像データは、所定の処理が施された後、制御装置１１０へ転送される。
【００４６】
プリンタ部３００において、レーザドライバ３２１はレーザ発光部３２２を駆動するものであり、制御装置１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００４７】
また、プリンタ部３００は給紙ユニット３１０として、それぞれ引き出し状の形状をしたカセット３１１〜３１４を有している。
【００４８】
プリンタ部３００は、カセット３１１〜３１４のいずれかから記録紙を給紙し、転写部３２５へ搬送路３３１を通して搬送する。転写部３２５は、感光ドラム３２３に付着された現像剤を記録紙に転写する。
【００４９】
現像剤が転写された記録紙は搬送ベルト３２６によって、定着部３２７に搬送される。定着部３２７は、熱と圧力により現像剤を記録紙に定着する。その後、定着部３２７を通過した記録紙は、搬送路３３５、搬送路３３４を通り排出される。記録紙の印字面を反転して排出する場合、記録紙は、搬送路３３６を通して搬送路３３８まで導かれる。そこから記録紙は、逆方向に搬送され、搬送路３３７、搬送路３３４を通して搬送可能である。
【００５０】
また、両面印刷が設定されている場合、記録紙は、定着部３２７を通過したあと、搬送路３３６を通って、フラッパ３２９によって搬送路３３３に導かれる。その後、記録紙は、逆方向に搬送され、フラッパ３２９によって、搬送路３３８に導かれた後、再給紙搬送路３３２に導かれる。再給紙搬送路３３２に導かれた記録紙は、上述したタイミングで搬送路３３１を通り、転写部３２５まで搬送され、転写部３２５によって記録紙の第２面に現像剤が転写される。そして、記録紙は、定着部３２７を通して搬送路３３４に導かれる。
【００５１】
片面印刷であるか、両面印刷であるかにかかわらず、搬送路３３４を通して搬送された記録紙はフィニッシャ部５００へ搬送される。
【００５２】
搬送された記録紙は、まずバッファユニット５０１に送られる。ここでは、場合に応じて搬送されてきた記録紙を、バッファローラに巻きつけてバッファリングする。例えば、この下流で行われるステイプル等処理に時間がかかる場合は、このバッファユニットを利用することによって本体から搬送されてくる記録紙の搬送間隔を調整することができる。
【００５３】
そして、記録紙は、この後、上流排出ローラ対５０２、下流排出ローラ対５０３によって搬送路５０４を経由し、スタックトレイ５０５に積まれる。スタックトレイ５０５に１部数の記録紙束が積載されたら、積載された記録紙束は排紙トレイ５０７に排出される。
【００５４】
シフトするよう指定されている場合、スタックトレイ５０５に積載された記録紙の束を、直前に排紙した記録紙の束に対してずらし、排出トレイ５０７に排出することによって部の切れ目が、ユーザにとってわかりやすくなる。
【００５５】
ステイプルするよう指定されている場合、上流排出ローラ対５０２で搬送され、下流排出ローラ対５０３によって搬送路５０４を経由して、スタックトレイ５０５に積まれた記録紙束に対してステイプルユニット５０６によってステイプル処理が行われる。綴じられた記録紙束は、下流排出ローラ対５０３により排出トレイ５０７に排出される。
【００５６】
プリンタ部３００によって画像が印刷され、搬送路３３４を介して搬送された記録紙に対してステイプルを実行する機能を、本実施形態ではインラインステイプル機能と呼ぶ。
【００５７】
ＭＦＰ１００は、このインラインステイプル機能とは別に、マニュアルステイプル機能を有する。
【００５８】
マニュアルステイプル機能とは、マーキングユニット３２０による画像の印刷を行わずに、シートの束に対してステイプルを行う機能である。このマニュアルステイプル機能は、画像が既に印刷されたシートの束に対してステイプルを行いたい場合に有用な機能である。
【００５９】
マニュアルステイプル機能を利用する場合、ユーザは、ＭＦＰ１００をマニュアルステイプルモードに移行させたうえで、シートをスタックトレイ５０５に挿入し、シートにステイプルを実行させる。
【００６０】
図４（ａ）、（ｂ）を使って、具体的な手順を説明する。
【００６１】
図４（ａ）は、図３で説明したフィニッシャ５００の外観を示す図である。図４（ｂ）は、フィニッシャ５００が備える操作パネル５２０を上から見た図である。
【００６２】
ユーザは、操作パネル５２０のマニュアルステイプルボタン５４１を押すことによって、ＭＦＰ１００を通常モード（プリントモード）からマニュアルステイプルモードに移行させることができる。マニュアルステイプルモードとは、ＣＰＵ１２０が、検知センサ５２６によってシート束が排紙トレイ５１０に挿入されたことを検知し、シートの挿入が検知されたら、シートにステイプルするモードである。
【００６３】
マニュアルステイプルボタン５４１が押されると、フィニッシャ５００からマニュアルステイプルボタン５４１が押されたことを示す信号がＣＰＵ１２０に送られる。ＣＰＵ１２０は、この信号を受信してマニュアルステイプルモードへの移行が指示されたと判定し、ＭＦＰ１００をマニュアルステイプルモードに移行させる。
【００６４】
ＭＦＰ１００がマニュアルステイプルモードに移行した後、検知センサ５２６によってシートの束が検知されると、フィニッシャ５００は、スタックトレイ５０５のシートの束に対してステイプルユニット５０６でステイプルを実行する。
【００６５】
このマニュアルステイプルモードを利用することによって、シートの束に対して画像を形成するための転写部３２５や定着部３２７を通さずとも、シートの束にステイプル処理を行うことができる。
【００６６】
ＭＦＰ１００がこのマニュアルステイプルモードの状態にある間、ＣＰＵ１２０は、ＭＦＰ１００による印刷の実行を禁止する。これは、ユーザが排紙口５１０に挿入したシート束と、ＭＦＰ１００で画像が印刷されて搬送された記録紙とが衝突してしまうことがあるためである。
【００６７】
なお、操作パネル５２０のモードＬＥＤ５４１は、ＭＦＰ１００のモードをユーザに通知するためのモードＬＥＤである。ＭＦＰ１００が通常モードのときには消灯し、ＭＦＰ１００がマニュアルステイプルモードのときに点灯する。
【００６８】
位置指定ボタンとして機能する右上ボタン５５２、右下ボタン５５３、２箇所綴じボタン５５４は、ＭＦＰ１００がマニュアルステイプルモードのときに押すことができるボタンであり、シートに対してステイプルすべき位置を指定するために押下される。右上ボタン５５２は、シートの右上にステイプルするよう指定するためのボタンである。位置指定ボタン５５２が押下されると、ＣＰＵ１２０は、ステイプルの位置として「右上」を不揮発性メモリ１４０に記憶し、右上ＬＥＤ５４２を点灯させる。位置指定ボタン５５３は、シートの右下にステイプルするよう指定するためのボタンである。右下ボタン５５２が押下されると、ＣＰＵ１２０は、ステイプルの位置として「右下」を不揮発性メモリ１４０に記憶し、右下ＬＥＤ５４３を点灯させる。２箇所綴じボタン５５４は、シートの右側の２箇所にステイプルするよう指定するためのボタンである。位置指定ボタン５５４が押下されると、ＣＰＵ１２０は、ステイプルの位置として「２箇所綴じ」を不揮発性メモリ１４０に記憶し、２箇所綴じＬＥＤ５４４を点灯させる。ユーザは、各ＬＥＤの点灯状態を見ることによって、どの位置が指定されているかを知ることができる。
【００６９】
ここで、マニュアルステイプルボタン５５１が押されたときに、ＣＰＵ１２０によって行われる処理を、図８に示すフローチャートに従って説明する。図８のフローチャートに示す処理は、ＣＰＵ１２０がＲＯＭ１６０に記憶されたプログラムをＲＡＭ１５０に読み出して実行することによって行われる。
【００７０】
Ｓ８０１で、ＣＰＵ１２０は、マニュアルステイプルボタン５５１が押されたか否かを判定する。マニュアルステイプルボタン５５１が押されたと判定されるまでＳ８０１の処理を繰り返し、押されたと判定された場合に、ＣＰＵ１２０は、Ｓ８０２に処理を進める。
【００７１】
Ｓ８０２で、ＣＰＵ１２０は、ＭＦＰ１００がマニュアルステイプルモード中であるか否かを判定する。ＭＦＰ１００が既にマニュアルステイプルモード中であれば、ＣＰＵ１２０は、Ｓ８０７に処理を進め、ＭＦＰ１００がマニュアルステイプルモード中でなければ、Ｓ８０３に処理を進める。
【００７２】
Ｓ８０７に処理を進めた場合、ＣＰＵ１２０は、ＭＦＰ１００のマニュアルステイプルモードを解除し、処理を終了する。具体的に、ＣＰＵ１２０は、印刷を許可する。そして、検知センサ５２６によってシート束が排紙トレイ５１０に挿入されたことを検知しても、シートに対してステイプルは実行されない。
【００７３】
Ｓ８０３に処理を進めた場合、ＣＰＵ１２０は、ＭＦＰ１００が印刷を実行中であるか否かを判定する。印刷中であると判定した場合、ＣＰＵ１２０は、Ｓ８０６に処理を進め、印刷中でないと判定した場合、Ｓ８０４に処理を進める。
【００７４】
Ｓ８０４で、ＣＰＵ１２０は、ＭＦＰ１００をマニュアルステイプルモードに移行する。
【００７５】
Ｓ８０５で、ＣＰＵ１２０は、ＭＦＰ１００のタッチパネル部６０２に、ＭＦＰ１００がマニュアルステイプルモード中であるため、図６に示すように、印刷が実行できないことを示すメッセージ５０００を表示し、Ｓ８０８に処理を進める。
【００７６】
Ｓ８０８で、ＣＰＵ１２０は、マニュアルステイプルモード中の処理を実行する。マニュアルステイプルモード中の処理の詳細は、図９を用いて後述する。
【００７７】
一方、Ｓ８０３からＳ８０６に処理を進めた場合、Ｓ８０６で、ＣＰＵ１２０は、図７に示すように、印刷が実行中なので、マニュアルステイプルモードに移行できないことを示すメッセージ５００１を表示する。なお、ＣＰＵ１２０は、この画面にフィニッシャの挿入口にシートを挿入してくださいというメッセージを表示してもよい。
【００７８】
次に、マニュアルステイプルモード中のＭＦＰ１００の動作を、図９に示すフローチャートに従って説明する。図９のフローチャートに示す処理は、ＣＰＵ１２０がＲＯＭ１６０に記憶されたプログラムをＲＡＭ１５０に読み出して実行することによって行われる。
【００７９】
Ｓ１００１で、ＣＰＵ１２０は、スタックトレイ５０５の検知センサ５２６によってシートが検知されたか否かを判定する。シートが検知されたと判定した場合、Ｓ１００２に処理を進める。一方、シートが検知されたと判定されない場合、Ｓ１００６に処理を進める。
【００８０】
Ｓ１００２で、ＣＰＵ１２０は、不揮発性メモリ１４０に記憶されたステイプルの位置を読み出す。
【００８１】
Ｓ１００３で、ＣＰＵ１２０は、読み出したステイプルの位置まで、ステイプラを移動する。
【００８２】
Ｓ１００４で、ＣＰＵ１２０は、ステイプラによってシートにステイプルを実行する。
【００８３】
Ｓ１００５で、ＣＰＵ１２０は、タイマ１８０の値を０にリセットする。
【００８４】
Ｓ１００６に処理を進めた場合、ＣＰＵ１２０は、位置指定ボタン５５２〜５５４のいずれかが押されたか否かを判定する。位置指定ボタン５５２〜５５４のいずれかが押されたと判定した場合、Ｓ１００７に処理を進め、位置指定ボタンが押されたときの処理を実行する。この処理については、図１０を用いて説明する。一方、位置指定ボタン５５２〜５５４のいずれも押されていないと判定した場合、Ｓ１００８に処理を進める。
【００８５】
Ｓ１００８で、ＣＰＵ１２０は、タイマ１８０の値をカウントアップする。
【００８６】
Ｓ１００９で、ＣＰＵ１２０は、タイマ１８０の値を参照し、シートを検知していない状態で、所定の時間が経過したか否かを判定する。所定の時間が経過したと判定するまで、ＣＰＵ１２０は、Ｓ１００１に処理を進め、所定の時間が経過したと判定した場合に、ＣＰＵ１２０は、Ｓ１０１０に処理を進める。
【００８７】
Ｓ１０１０で、ＣＰＵ１２０は、マニュアルステイプルモードを解除して処理を終了する。このように、シートの検知や位置指定ボタンの押下がないにも関わらず、マニュアルステイプルモードが継続され、むやみに長時間印刷が制限された状態になることを防ぐことができる。
【００８８】
次に、ボタン５５２〜５５４が押されたときに、ＣＰＵ１２０によって行われる処理を、図１０に示すフローチャートに従って説明する。図１０のフローチャートに示す処理は、ＣＰＵ１２０がＲＯＭ１６０に記憶されたプログラムをＲＡＭ１５０に読み出して実行することによって行われる。
【００８９】
図１０のＳ９０１で、ＣＰＵ１２０は、右上ボタン５５２が押されたと判定した場合、ＣＰＵ１２０は、Ｓ９０２に処理を進める。
【００９０】
Ｓ９０２で、ＣＰＵ１２０は、ステイプルの位置として「右上」を不揮発性メモリ１４０に記憶する。Ｓ９０３で、ＣＰＵ１２０は、右上ＬＥＤ５４２を点灯し、処理を終了する。
【００９１】
一方、Ｓ９０１で、右上ボタン５５２が押されていないと判定した場合、Ｓ９０４で、ＣＰＵ１２０は、右下ボタン５５３が押されたか否かを判定する。右下ボタン５５３が押されたと判定した場合、ＣＰＵ１２０は、Ｓ９０５で、ステイプルの位置として「右下」を不揮発性メモリ１４０に記憶する。Ｓ９０６で、右下ＬＥＤ５４３を点灯し、処理を終了する。
【００９２】
一方、Ｓ９０４で、右下ボタン５５３が押されていないと判定した場合、Ｓ９０７で、ＣＰＵ１２０は、２箇所綴じボタン５５４が押されたか否かを判定する。２箇所綴じボタン５５４が押されたと判定した場合、ＣＰＵ１２０は、Ｓ９０８で、ステイプルの位置として「２箇所綴じ」を不揮発性メモリ１４０に記憶する。Ｓ９０９で、２箇所綴じＬＥＤ５４４を点灯し、処理を終了する。
【００９３】
Ｓ９０７で、２箇所綴じボタン５５４が押されていないと判定した場合、Ｓ９０１に処理を戻す。
【００９４】
以上のような制御を行うことによって、ユーザは、ＭＦＰ１００による印刷を行わずに、フィニッシャ５００を使用してシートに対してステイプルを実行させることができる。
【００９５】
このようなＭＦＰ１００を用いて、次のようなユースケースが考えられる。
【００９６】
ユーザは、複数枚の原稿を綴じているステイプラの針を外し、原稿を原稿給紙ユニット２５０にセットし、原稿の画像をコピーするコピージョブを実行させた後、原稿を元の状態に戻すために原稿にステイプルを実行するケースである。
【００９７】
このケースの場合、ＭＦＰ１００が、ユーザから受け付けたコピージョブを実行している間に、他のプリントジョブを受け付けると、そのプリントジョブをプリントキューに登録し、実行待ちの状態にする。そして、従来のＭＦＰは、実行中のコピージョブの完了後に他のジョブの印刷を直ちに開始するため、当該他のジョブの実行が完了するまで、ユーザは原稿にステイプルするためのモードに移行させることができなかった。
【００９８】
特に、他のプリントジョブのページ数が多いと、ユーザが待たなければならない時間が長くなってしまう。
【００９９】
そこで、本実施形態では、ユーザが、コピージョブの実行開始前にマニュアルステイプルモードの予約をしておくことを可能にする。それによって、コピージョブの実行開始後、他のプリントジョブが実行される前に、スムーズにＭＦＰ１００をマニュアルステイプルモードに移行させ、ユーザが原稿にステイプルさせることができる仕組みを提供することを目的とする。
【０１００】
図５は、タッチパネル部６０２に表示されるコピージョブの設定画面である。
【０１０１】
この設定画面が表示された状態で、ユーザは、キー入力部６０１または部数、コピー倍率、記録紙の選択、濃度等の設定を受け付けることができる。
【０１０２】
ＣＰＵ１２０は、受け付けた設定を、コピージョブの設定としてＲＡＭ１５０に記憶し、必要に応じて設定を読み出す。
【０１０３】
この設定画面の原稿ステイプルボタン７０１を押すことによって、ユーザは、コピージョブの実行後にＭＦＰ１００をマニュアルステイプルモードに移行させるための予約を、コピージョブの実行開始前にしておくことができる。
【０１０４】
図１１は、これから新たに投入されるコピージョブの設定を受け付けた後のＭＦＰ１００の動作を示すフローチャートである。図１１のフローチャートに示す処理は、ＣＰＵ１２０がＲＯＭ１６０に記憶されたプログラムをＲＡＭ１５０に読み出して実行することによって行われる。
【０１０５】
Ｓ１１０１で、ＣＰＵ１２０は、図５に示すコピー画面を介してコピーの設定を受け付ける。受け付けた設定を、ＣＰＵ１２０は、ＲＡＭ１５０に記憶する。
【０１０６】
Ｓ１１０２で、ＣＰＵ１２０は、図５に示すコピー画面の原稿ステイプルボタン７０１が押されたか否かを判定する。原稿ステイプルボタン７０１が押されたと判定した場合、ＣＰＵ１２０は、Ｓ１１０３で、新たに投入されるコピージョブのための原稿ステイプルフラグをオンに設定する。
【０１０７】
Ｓ１１０４で、ＣＰＵ１２０は、キー入力部６０１のスタートキー６０５が押されたか否かを判定する。スタートキー６０５が押されていない場合、ＣＰＵ１２０は、処理をＳ１１０１に進め、スタートキー６０５が押されたと判定した場合、ＣＰＵ１２０は、処理をＳ１１０５に進める。
【０１０８】
Ｓ１１０５で、ＣＰＵ１２０は、マニュアルステイプルモード中であるか否かを判定する。マニュアルステイプルモード中ではないと判定した場合にＳ１１０６に処理を進め、マニュアルステイプルモード中であると判定した場合にＳ１１１１に処理を進める。
【０１０９】
Ｓ１１０６で、ＣＰＵ１２０は、リーダ部２００に原稿を読み取らせ、原稿の画像を示す画像データを得る。
【０１１０】
Ｓ１１０７で、ＣＰＵ１２０は、読み取って得られた画像データを画像メモリ１３０に記憶する。
【０１１１】
Ｓ１１０８で、ＣＰＵ１２０は、Ｓ１１０１で受け付けたコピー設定に基づいて、不揮発性メモリ１４０内のプリントキューに印刷予約情報を登録する。プリントキューは、ＣＰＵ１２０が、印刷の順番を管理するために用いられる。図１３は、印刷予約がされた状態を示す。
【０１１２】
プリントキュー内の左から順にジョブ１、ジョブ２、ジョブ３の順に印刷予約がされており、早く印刷予約されたジョブからＣＰＵ１２０によって順に読みだされ、実行される。
【０１１３】
図１２は、印刷予約情報に基づいて、画像の印刷を実行するＭＦＰ１００の動作を示すフローチャートである。図１２のフローチャートに示す処理は、ＣＰＵ１２０がＲＯＭ１６０に記憶されたプログラムをＲＡＭ１５０に読み出して実行することによって行われる。
【０１１４】
Ｓ１５０１で、ＣＰＵ１２０は、プリントキューにジョブの印刷予約情報があるか否かを判定する。印刷予約情報があると判定した場合にＳ１５０２に処理を進め、印刷予約情報がないと判定した場合にＳ１５０１の処理を繰り返す。
【０１１５】
Ｓ１５０２で、ＣＰＵ１２０は、マニュアルステイプルモード中であるか否かを判定する。マニュアルステイプルモードであると判定された場合、印刷が実行できないので、ＣＰＵ１２０は、Ｓ１５０１に処理を進め、マニュアルステイプルモード中ではないと判定された場合に、Ｓ１５０３に処理を進める。
【０１１６】
Ｓ１５０３で、ＣＰＵ１２０は、プリントキューに登録された印刷予約情報と、画像メモリ１３０に記憶された画像データに基づいて、プリンタ装置３００を制御し、シートに画像を形成する。
【０１１７】
Ｓ１５０４で、ＣＰＵ１２０は、図１１のＳ１１０１で受け付けてＲＡＭ１５０に記憶された印刷予約情報を参照し、ステイプルを実行するよう設定されているか否かを判断する。ステイプルするよう設定されている場合、Ｓ１５０５に処理を進め、ステイプルするよう設定されていない場合、Ｓ１５０６に処理を進める。
【０１１８】
Ｓ１５０５で、ＣＰＵ１２０は、画像が印刷されたシートに対してフィニッシャ５００にステイプルを実行させる。
【０１１９】
Ｓ１５０６で、ＣＰＵ１２０は、ジョブの印刷が完了したか否かを判定する。ジョブの実行が完了したと判定するまで、シートに対する画像の印刷と、必要に応じてステイプルを実行し、ジョブの実行が完了したと判定した場合に、ＣＰＵ１２０は、Ｓ１５０７に処理を進める。
【０１２０】
Ｓ１５０７で、ＣＰＵ１２０は、原稿ステイプルフラグがＲＡＭ１５０内の原稿ステイプルフラグがオンになっているか否かを判定する。オンになっている場合、ＣＰＵ１２０は、Ｓ１５０８に処理を進め、ＭＦＰ１００をマニュアルステイプルモードに移行させる。一方、Ｓ１５０７でオンになっていないと判定された場合、ＣＰＵ１２０は、処理を終了する。
【０１２１】
Ｓ１５０８で、ＣＰＵ１２０は、ＭＦＰ１００をマニュアルステイプルモードに移行させる。
【０１２２】
Ｓ１５０９で、ＣＰＵ１２０は、マニュアルステイプルモード中の処理を実行する。
【０１２３】
Ｓ１５１０で、ＣＰＵ１２０は、マニュアルステイプルモードが解除されたか否かを判定する。マニュアルステイプルモードが解除されたと判定されるまで、Ｓ１５０９の処理を行う。一方、マニュアルステイプルモードが解除されたと判定された場合に、Ｓ１５０１に処理を進め、プリントキューに登録された後続ジョブの印刷予約情報を検索する。
【０１２４】
以上のような制御を行うことによって、ユーザは、複数枚の原稿を綴じているステイプラの針を外し、原稿を原稿給紙ユニット２５０にセットし、原稿のコピーを実行させた後、後続ジョブの実行前に原稿を元の状態に戻すことができる。また、ユーザは、複数枚の原稿を綴じているステイプラの針を外し、原稿給紙ユニット２５０とプラテンガラス２１１の間に原稿を置いて原稿を読み取らせる場合にも、原稿のコピージョブの完了後、他のジョブの実行前に原稿にステイプルすることができる。
【０１２５】
図１３の例で説明すると、ユーザはジョブ１のコピーの設定をするときに、原稿ステイプルボタン７０１を押下しておくことによって、ジョブ１の後に予約されたジョブ２の印刷が開始される前に、原稿にステイプルを行うことができる。
【０１２６】
＜第２の実施形態＞
上述した第１の実施形態では、原稿の読み取りが完了し、当該原稿の画像に基づいてシートに画像を印刷するジョブが完了した後、他のジョブの実行が開始される前に、マニュアルステイプルモードに移行する制御を説明した。
【０１２７】
第２の実施形態では、原稿の読み取りが完了した後、当該原稿の画像に基づいて画像を印刷する前に、マニュアルステイプルモードに移行する制御を説明する。それによって、ユーザは、原稿のステイプルをより早いタイミングで行うことができる。
【０１２８】
ＭＦＰ１００の構成は、第１の実施形態と同様であるため、ここでは詳しい説明を省略する。
【０１２９】
第１の実施形態との差分は、第１の実施形態で説明した図１２に示す処理の代わりに、第２の実施形態では図１４に示す処理を実行する点である。図１４の各ステップについて、図１２と同様の処理を行うステップには、図１２と同じ符号を付けている。
【０１３０】
Ｓ１５０１で、プリントキューにジョブの印刷予約があると判定され、Ｓ１５０２で、ＭＦＰ１００がマニュアルステイプルモード中であると判定した場合、ＣＰＵ１２０は、Ｓ１６０１に処理を進める。
【０１３１】
Ｓ１６０１で、ＣＰＵ１２０は、プリントキューの先頭のジョブの原稿ステイプルフラグがオンになっているか否かを判定する。オンになっていると判定した場合、Ｓ１５０８に処理を進め、ＣＰＵ１２０は、ＭＦＰ１００をマニュアルステイプルモードに移行させる。一方、オフになっていると判定した場合、ＣＰＵ１２０は、Ｓ１５０３に処理を進め、先頭のジョブの印刷を実行する。
【０１３２】
以上のように制御することによって、ユーザは、複数枚の原稿を綴じているステイプラの針を外し、原稿を原稿給紙ユニット２５０にセットし、原稿を読み取らせた後、その原稿の画像の印刷が完了するのを待たずとも原稿を元の状態に戻すことができる。
【０１３３】
＜第３の実施形態＞
第３の実施形態では、上述の第１の実施形態で説明した動作をさせるか、第２の実施形態で説明した動作をさせるかを、ユーザが予め設定しておく例を説明する。
【０１３４】
ＭＦＰ１００の構成は、第１の実施形態と同様であるため、ここでは詳しい説明を省略する。
【０１３５】
図１５の画面は、図２のユーザモードキーが押された場合に、タッチパネル部６０２に表示される画面である。
【０１３６】
図１５の画面は、プリント前ボタン１００１、プリント後ボタン１００２、設定取消ボタン１００３、ＯＫボタン１００４を有する。
【０１３７】
第１の実施形態で説明した動作をさせたい場合、ユーザは、プリント後ボタン１００２を選択し、ＯＫボタン１００４を押下する。
【０１３８】
一方、第２の実施形態で説明した動作をさせたい場合、ユーザは、プリント前ボタン１００２を選択し、ＯＫボタン１００４を押下する。選択したボタンを反映したくない場合、ユーザは、設定取消ボタン１００３を押下する。
【０１３９】
ＯＫボタン１００４が押されると、ＣＰＵ１２０は、選択されたボタンを示す情報を、不揮発性メモリ１４０に記憶する。
【０１４０】
予めプリント後ボタン１００２が押されている場合、ＣＰＵ１２０は、プリントキューに登録された印刷予約情報に対して図１２に示す処理を実行する。一方、予めプリント前ボタン１００１が押されている場合、ＣＰＵ１２０は、プリントキューに登録された印刷予約情報に対して図１４に示す処理を実行する。
【０１４１】
以上のような制御を行うことによって、ユーザは、原稿のコピーを取った後、後続ジョブの前に原稿のステイプルを実行するのか、原稿を読み取らせた後、当該原稿の画像の印刷の前にステイプルを実行するのかを選択しておくことができる。
【０１４２】
＜その他の実施形態＞
なお、上述した実施形態では、Ｓ１００１で、シートが検知されたことに応じて、シート束にステイプルが実行される例を説明したが、本発明はこれに限られるものではない。例えば、マニュアルステイプルを実行するためのボタンを別に設け、そのボタンが押された場合に、Ｓ１００２で指定された位置にステイプルを実行するようにしてもよい。
【０１４３】
また、上述した実施形態では、ユーザによってフィニッシャに挿入されたシートに対してステイプルを実行する場合を説明したが、本実施形態はこれに限られるものではない。例えば、次のように制御しても良い。ユーザが、ステイプルしたいシートを給紙ユニット３１０に収納し、操作部１７０を介して、ステイプルすべき１束分のシートの枚数を入力する。ＣＰＵ１２０は、給紙ユニット３１０に収納されたシートのうち、ユーザによって指定された枚数のシートを給紙するよう制御する。そして、ＣＰＵ１２０は、マーキングユニット３２０による画像の印刷を行わずに、給紙したシートをスタックトレイ５０５に積載してステイプルを実行するようにしてもよい。つまり、この場合も、マニュアルステイプルモードにおいて、プリンタ部３００による画像の印刷は制限されるといえる。
【０１４４】
なお、上述した実施形態では、フィニッシャ５００によって実行されるシート処理（後処理）としてステイプルを例に説明したが、シート処理の種類はこれに限られるものではなく、パンチやスタンプ印字、その他の後処理であってもよい。
【０１４５】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【０１４６】
１２０  ＣＰＵ
１３０  画像メモリ
１４０  不揮発メモリ
１５０  ＲＡＭ
１６０  ＲＯＭ
１７０  操作部
【図１】
2014238542.tif 000003
【図２】
2014238542.tif 000004
【図３】
2014238542.tif 000005
【図４】
2014238542.tif 000006
【図５】
2014238542.tif 000007
【図６】
2014238542.tif 000008
【図７】
2014238542.tif 000009
【図８】
2014238542.tif 000010
【図９】
2014238542.tif 000011
【図１０】
2014238542.tif 000012
【図１１】
2014238542.tif 000013
【図１２】
2014238542.tif 000014
【図１３】
2014238542.tif 000015
【図１４】
2014238542.tif 000016
【図１５】
2014238542.tif 000017